(57)【要約】      （修正有）【課題】携帯電話機と、携帯電話機ダイアルアップ応用プログラム（ＡＰＰ）と、音声サーバーとを備えるＩＰ電話システムを提供する。【解決手段】携帯電話機ダイアルアップ応用プログラム１２を携帯電話機１１にインストールしていて、音声サーバー１３は、ＲＪ−４５ネットワークインターフェイス１３１と、無線ＬＡＮワイヤレスインターネット・インターフェイス１３２とを有し、ローカルエリアネットワーク１８とインターネット１４との接続に用いる。ＲＪ−１１インターフェイス１３３と、公衆交換電話網（ＰＳＴＮ）ダイアルアップモジュール１３４と、Ｄ／Ａ変換モジュール１３５は、ＰＳＴＮネットワーク１５との接続に用いる。Ｄ／Ａ変換モジュールはデジタルアナログ変換に用いる。信号検出モジュール１３６は、ネットワーク信号の品質を検出すると共に、音声信号をインターネットまたはＰＳＴＮネットワークに接続する。マイクロプロセッサー１３７は、音声サーバーの信号処理に用いる。【選択図】図１
0003206362.tif 000002
【実用新案登録請求の範囲】
【請求項１】
通話装置と、ダイアルアップ応用プログラムと、音声サーバーとを備えるＩＰ電話システムであって、前記ダイアルアップ応用プログラムを前記通話装置にインストールしていて、前記音声サーバーは、
複数の無線ネットワークインターフェイスとの接続に用いるＲＪ−４５ネットワークインターフェイス及びＷＩＦＩ（登録商標）ワイヤレスインターネット・インターフェイス無線ネットワークインターフェイスと、
ＰＳＴＮネットワークスとの接続に用いるＲＪ−１１インターフェイス及び公衆交換電話網ダイアルアップモジュールと、
デジタルアナログ変換に用いるＤ／Ａ変換モジュールと、
ネットワークの信号品質を自動に検出した上、音声信号をインターネットまたは公衆交換電話網に接続する信号検出モジュールと、
前記音声サーバー各種の信号を処理するマイクロプロセッサーと、を含むことを特徴とする、ＩＰ電話システム。
【請求項２】
前記音声サーバーは例えば、コンピューターであることを特徴とする、請求項１記載のＩＰ電話システム。
【請求項３】
前記通話装置は例えば、携帯電話機またはタブレットＰＣであることを特徴とする、請求項１記載のＩＰ電話システム。
【請求項４】
前記複数のネットワークは例えば、インターネットと、ローカルエリアネットワークであることを特徴とする、請求項１記載のＩＰ電話システム。
【請求項５】
前記音声サーバーは、その他装置と、電源管理モジュールに接続して、前記音声サーバーを管理する電源汎用入出力インターフェイスをさらに含むことを特徴とする、請求項１記載のＩＰ電話システム。
【請求項６】
発信側を前記ＩＰ電話システムに接続するときに、前記発信側はＰＳＴＮ、ＷＩＦＩ（登録商標）、３Ｇ（登録商標）、４Ｇ（登録商標）、ＬＴＥ（登録商標）またはＷＩＭＡＸ（登録商標）などのネットワークを利用できることを特徴とする、請求項１記載のＩＰ電話システム。
【請求項７】
前記ＩＰ電話システムを使用するときには、会議通話モードを設定して、一対多数の通話または三方通話ができることを特徴とする、請求項１記載のＩＰ電話システム。
【請求項８】
使用者が前記ＩＰ電話システムを使用するときは、前記携帯電話機にインストールされた前記応用プログラムを用いて、ダイアルアップし、前記携帯電話機のＷＩＦＩ（登録商標）モジュールが前記ローカルエリアネットワークを介して、前記音声サーバーに接続し、前記音声サーバーの信号検出モジュールがネットワーク信号の通話品質を自動に検知し、もし、前記インターネットの通話品質が良いときは、音声信号を前記インターネットに接続させ、前記公衆交換電話網の通話品質が良いときは、音声信号を公衆交換電話網に接続することを特徴とする、請求項１記載のＩＰ電話システム。
【考案の詳細な説明】
【技術分野】
【０００１】
本考案は、ＩＰ電話システムに関し、特にネットワークの信号品質を自動に検出した上、音声信号をインターネット（Ｉｎｔｅｒｎｅｔ）または公衆交換電話網（ＰＳＴＮ）ネットワークに接続するＩＰ電話システムに関する。
【背景技術】
【０００２】
一般の従来電話回線が使用するネットワークは、公衆交換電話網（ＰＳＴＮ）ネットワークであり、アナログ音声信号を伝送する。しかし、インターネットが盛んに発展につれて、ＩＰ電話（ＶｏＩＰ）の使用も日一日と普及している。ＩＰ電話（ＶｏＩＰ）は、ＩＰネットワークを介して、デジタル音声データを伝送する技術の電話通信方式である。そして、インターネットプロトコール（Ｉｎｔｅｒｎｅｔ  Ｐｒｏｔｏｃｏｌ，  ＩＰ）はもともとデータパケットの伝送に設計されており、ネットワーク電話とは、ＩＰネットワークにデジタル音声信号をリアルタイムに伝送するものである。ＩＰ電話（ＶｏＩＰ）による音声伝送は、ハードウェアまたはソフトウェアで構成される。早期の製品は、ソフトウェア構成によって稼働するため、使用者はコンピューターを利用し、ソフトウェアを実行すると共に、インターネットに接続する必要がある。よって、コンピューターには、ネットワークカードと、マイクが必要である。しかし、その接続は半二重通信であり、従来の電話通信に比べて、通話が無線通話のようなもので、本来の電話通話ではない。通話品質も良くないため、改善の余地がある。一方、現在には多くのＩＰ電話（ＶｏＩＰ）製品がソフトウェア構成を使用している。その長所は、低コストにある。企業組織は毎月に数千から数万円の長距離電話料を掛かる。そこで、もし常にコスト低く、かつインターネットに無制限でアクセスできるネットワーク電話があれば、通話料は大幅に軽減できる。
【０００３】
ネットワーク電話の使用料は安いといえども、問題点が存在している。インターネットプロトコール（Ｉｎｔｅｒｎｅｔ  Ｐｒｏｔｏｃｏｌ，  ＩＰ）はパケット（ｐａｃｋｅｔ）をベースとした伝送プロトコールに対して、従来の電話で使用する公衆交換電話網（ＰＳＴＮ）ネットワークは、回線交換（ｃｉｒｃｕｉｔ  ｓｗｉｔｃｈｉｎｇ）を使用している。ＩＰで音声データを伝送する際に、システムはまずデータをパケットに分割して、ネットワークを通じて伝送される。しかし、ＩＰは最善の努力方式（ｂｅｓｔ−ｅｆｆｏｒｔ）のため、サービス品質は保証されない。よって、異なるパケットにはそれぞれのルートを使用している可能性があり、パケットの順番が狂ってしまうか、または途中でロスするため、ネットワーク電話の音声品質は一定レベルの保証が得られない。これに対して、公衆交換電話網（ＰＳＴＮ）ネットワークを利用する回線交換技術では、伝送する両方の間に一定のルートが確立していて、かつ必要な帯域の「回線」（ｃｉｒｃｕｉｔ）が確保されている。従って、音声品質が比較的に保証される。
【０００４】
以上の説明から、ＩＰ電話（ＶｏＩＰ）と、公衆交換電話網（ＰＳＴＮ）ネットワークを使用する従来の電話通信は、それぞれの長短所あることが分かる。両者の長所を残しつつ、両者の欠点を改善する。
【考案の概要】
【考案が解決しようとする課題】
【０００５】
本考案の目的は、ＩＰ電話システムを提供することにある。
【課題を解決するための手段】
【０００６】
携帯電話機と、携帯電話機ダイアルアップ応用プログラム（ＡＰＰ）と、音声サーバーとを含む。携帯電話機ダイアルアップ応用プログラム（ＡＰＰ）を携帯電話機にインストールしていて、係る音声サーバーは、ＲＪ−４５ネットワークインターフェイスと、ＷＩＦＩ（登録商標）ワイヤレスインターネット・インターフェイスとを有し、無線ネットワークインターフェイス（ＬＡＮ）とインターネットとの接続に用いる。係るＲＪ−４５ネットワークインターフェイスと、ＷＩＦＩ（登録商標）ワイヤレスインターネット・インターフェイス無線ネットワークインターフェイスは、ローカルエリアネットワーク（ＬＡＮ）と、インターネット（Ｉｎｔｅｒｎｅｔ）の接続に用いる。係るＲＪ−１１インターフェイスと、公衆交換電話網（Ｐｕｂｌｉｃ  Ｓｗｉｔｃｈｅｄ  Ｔｅｌｅｐｈｏｎｅ  Ｎｅｔｗｏｒｋ，  ＰＳＴＮ）ダイアルアップモジュールは、Ｄ／Ａ変換モジュールと、ＲＪ−１１インターフェイスと、ＰＳＴＮダイアルアップモジュールは、ＰＳＴＮネットワークの接続に用いる。係るＤ／Ａ変換モジュールはデジタルアナログ変換に用いる。係る信号検出モジュールは、ネットワーク信号の品質を検出すると共に、音声信号をインターネット（Ｉｎｔｅｒｎｅｔ）または公衆交換電話網（ＰＳＴＮ）ネットワークに接続する。マイクロプロセッサーは、係る音声サーバーの信号処理に用いる。汎用入出力（ＧＰＩＯ）インターフェイスは、その他装置との接続に用いる。電源管理モジュールは、音声サーバーの電源管理に用いる。使用者が本考案のＩＰ電話システムを使用するときは、携帯電話機にインストールされた応用プログラム（ＡＰＰ）を用いて、ダイアルアップし、携帯電話機のＷＩＦＩ（登録商標）モジュールがローカルエリアネットワーク（ＬＡＮ）を介して、本考案ＩＰ電話システムの音声サーバーに接続する。係る音声サーバーの信号検出モジュールがネットワーク信号の通話品質を自動に検知される。もし、インターネット（Ｉｎｔｅｒｎｅｔ）の通話品質が良いときは、音声信号をインターネット（Ｉｎｔｅｒｎｅｔ）に接続する。もし、公衆交換電話網（ＰＳＴＮ）ネットワークの通話品質が良いときは、音声信号を公衆交換電話網（ＰＳＴＮ）ネットワークに接続する。
【考案の効果】
【０００７】
本考案より提供するＩＰ電話システムには、相当な斬新性と進歩性を有する。固定コストで廉価、しかもアクセス制限のないインターネットを通じて、音声通話を実現し、通話料を大幅に軽減できると共に、公衆交換電話網（ＰＳＴＮ）ネットワークの回線交換技術によって、音声通話品質が保証される。両者を兼ね合わせており、長所をとって短所を補うことができる。アナログ回線（ＰＳＴＮ）の使用により、通話品質がより安定し、ネットワーク断線の影響を受けることなく、ファイアウォールの制限を受けず、帯域の制限も受けない。そのほか、本考案のＩＰ電話システムを適用して、ローカル電話を携帯電話機に接続するには、ＷＩＦＩ（登録商標）のほかに、３Ｇ（登録商標）、４Ｇ（登録商標）、ＬＴＥ（登録商標）、ＷＩＭＡＸ（登録商標）も利用できるため、使用のエリアがより広くなり、使用者が海外に滞在していても、家の電話はもれなく受けられる。さらに、会議モードの通話を設定すれば、一対多数の通話または三方通話も実現できる。便利でしかも使いやすい。ローカル電話にネットワークを介して通話すれば、以前の国際電話を取り代わることができ、通話料はもっと軽減できる。さらに、本考案のＩＰ電話システムは、タブレットＰＣに適用して、タブレットＰＣにＡＰＰをインストールして置けば、取次ぎのローカル電話に出ることもできる。
【図面の簡単な説明】
【０００８】
【図１】本考案のＩＰ電話システムによるシステム構造態様図である。
【図２】本考案のＩＰ電話システムによる携帯電話機応用プログラム（ＡＰＰ）と、音声サーバーとの接続の態様図である。
【図３】本考案のＩＰ電話システムによる携帯電話機が電話受信を受け入れて、音声サーバーとの接続の態様図である。
【図４】本考案のＩＰ電話システムによる一般電話から携帯電話に発信して、音声サーバーとの接続の態様図である。
【図５】本考案のＩＰ電話システムによる携帯電話機と、従来の電話と、音声サーバーとの接続の態様図である。
【図６】本考案のＩＰ電話システムによる携帯電話機と、音声サーバーとの接続の態様図である。
【考案を実施するための形態】
【０００９】
図１、本考案のＩＰ電話システムによるシステム構造態様図を参照する。図１から分かるように、本考案のＩＰ電話システムは、携帯電話機１１と、携帯電話機ダイアルアップ応用プログラム（ＡＰＰ）１２と、音声サーバーと１３を含む。係る携帯電話機ダイアルアップ応用プログラム（ＡＰＰ）１２を携帯電話機１１にインストールしていて、係る音声サーバー１３は、ＲＪ−４５ネットワークインターフェイス１３１と、ＷＩＦＩ（登録商標）ワイヤレスインターネット・インターフェイス１３２とを有し、係るＲＪ−４５ネットワークインターフェイス１３１と、ＷＩＦＩ（登録商標）ワイヤレスインターネット・インターフェイス１３２は、ローカルエリアネットワーク（ＬＡＮ）１８と、インターネット（Ｉｎｔｅｒｎｅｔ）１４の接続に用いる。係るＲＪ−１１インターフェイス１３３と、公衆交換電話網（Ｐｕｂｌｉｃ  Ｓｗｉｔｃｈｅｄ  Ｔｅｌｅｐｈｏｎｅ  Ｎｅｔｗｏｒｋ，  ＰＳＴＮ）ダイアルアップモジュール１３４と、Ｄ／Ａ変換モジュール１３５を有し、係るＲＪ−１１インターフェイス１３３と、ＰＳＴＮダイアルアップモジュール１３４は、ＰＳＴＮネットワーク１５の接続に用いる。係るＤ／Ａ変換モジュール１３５はデジタルアナログ信号の変換に用いる。係る信号検出モジュール１３６は、ネットワーク信号の品質を検出すると共に、音声信号をインターネット（Ｉｎｔｅｒｎｅｔ）１４または公衆交換電話網（ＰＳＴＮ）ネットワーク１５に接続する。マイクロプロセッサー１３７は、係る音声サーバー１３の信号処理に用いる。汎用入出力（ＧＰＩＯ）インターフェイス１３８は、その他装置との接続に用いる。電源管理モジュール１３９は、音声サーバーの電源管理に用いる。使用者が本考案のＩＰ電話システム０１を使用するときは、携帯電話機１１にインストールされた応用プログラム（ＡＰＰ）１２を用いて、ダイアルアップし、携帯電話機１１のＷＩＦＩ（登録商標）モジュールがローカルエリアネットワーク（ＬＡＮ）１８を介して、本考案ＩＰ電話システムの音声サーバー１３に接続する。係る音声サーバー１３の信号検出モジュール１３６がネットワーク信号の通話品質を自動に検知される。もし、インターネット（Ｉｎｔｅｒｎｅｔ）１４の通話品質が良いときは、音声信号をインターネット（Ｉｎｔｅｒｎｅｔ）１４に接続し、もし、公衆交換電話網（ＰＳＴＮ）ネットワーク１５の通話品質が良いときは、音声信号を公衆交換電話網（ＰＳＴＮ）ネットワーク１５に接続し、携帯電話機１６と接続し通話させる。前記実施例は携帯電話機１１と、携帯電話機１６との接続による通話を例示しているが、この限りではない。携帯電話機１１も前述技術とフローを利用して、従来のＰＳＴＮ電話１７と接続して通話することができる。
【００１０】
図２、本考案のＩＰ電話システムによる携帯電話機応用プログラム（ＡＰＰ）と、音声サーバーとの接続の態様図を参照する。図２から分かるように、使用者が本システムを適用して、通話するとき、本システムの携帯電話機応用プログラム（ＡＰＰ）と、音声サーバーとの接続フローのステップは、以下のとおりに示す。
【００１１】
ステップ２１は使用者の携帯電話機が音声サーバーとの接続を確立する。
【００１２】
ステップ２２は使用者が携帯電話機応用プログラム（ＡＰＰ）を用いて電話を掛ける。
【００１３】
ステップ２３は携帯電話機より、音声サーバーに番号を伝送する。
【００１４】
ステップ２４は音声サーバーの信号検出モジュールがネットワーク通信品質を判断した上、音声信号をインターネット回線または公衆電話網との接続を決める。
【００１５】
ステップ２５は確認及び通話者を接続する。
【００１６】
ステップ２６はデジタルビデオ／オディオデータの発信と受信。
【００１７】
ステップ２７は通話を終了する。
【００１８】
引き続き図３、本考案のＩＰ電話システムによる携帯電話機が電話の受信を受け入れて、音声サーバーとの接続の態様図である。図３から分かるように、使用者が本システムを適用して、かかって来た電話と通話するとき、本システムの携帯電話機と、音声サーバーとの接続フローのステップは、以下のとおりに示す。
【００１９】
ステップ３１は携帯電話機と、音声サーバーとの接続を確立する。
【００２０】
ステップ３２は電話に出る。
【００２１】
ステップ３３は音声サーバーからの通話を受け入れる。
【００２２】
ステップ３４はデジタルビデオ／オディオデータの発信と受信。
【００２３】
ステップ３５は通話を終了する。
【００２４】
引き続き図４、本考案のＩＰ電話システムによる一般電話から携帯電話に発信して、音声サーバーとの接続の態様図を参照する。図４から分かるように、一般の従来電話から携帯電話機と、音声サーバーとの接続フローステップは、以下のとおりに示す。
【００２５】
ステップ４１は携帯電話機と、音声サーバーとの接続を確立する。
【００２６】
ステップ４２はデュアルトーンマルチ周波数（Ｄｕａｌ−Ｔｏｎｅ  Ｍｕｌｔｉ−Ｆｒｅｑｕｅｎｃｙ／ＤＴＭＦ）の音声ダイアルアップを受信する。
【００２７】
ステップ４３は携帯電話機応用プログラム（ＡＰＰ）に接続する。
【００２８】
ステップ４４は通話を確立する。
【００２９】
ステップ４５は一般の従来電話のアナログ音声信号の受信と伝送、携帯電話からのデジタル音声信号の受信と伝送する。
【００３０】
ステップ４６は断線して、通話を終了する。
【００３１】
引き続き図５、本考案のＩＰ電話システムによる携帯電話機を従来の電話と、音声サーバーにダイアルアップするときの態様図を参照する。図５から分かるように、携帯電話機から携帯電話機と、音声サーバーとの接続フローステップは、以下のとおりに示す。
【００３２】
ステップ５１は携帯電話機と、音声サーバーとの接続を確立する。
【００３３】
ステップ５２は音声サーバーが携帯電話機応用プログラム（ＡＰＰ）からのダイアルアップを受信する。
【００３４】
ステップ５３は番号に基づき、デュアルトーンマルチ周波数（Ｄｕａｌ−Ｔｏｎｅ  Ｍｕｌｔｉ−Ｆｒｅｑｕｅｎｃｙ／ＤＴＭＦ）の音声ダイアルアップを形成する。
【００３５】
ステップ５４はデュアルトーンマルチ周波数（Ｄｕａｌ−Ｔｏｎｅ  Ｍｕｌｔｉ−Ｆｒｅｑｕｅｎｃｙ／ＤＴＭＦ）による電話を接続する。
【００３６】
ステップ５５は通話を確立する。
【００３７】
ステップ５６は携帯電話からのデジタル音声信号の受信と伝送し、一般の電話のアナログ音声信号の受信と伝送する。
【００３８】
ステップ５７は断線して、通話を終了する。
【００３９】
引き続き図６、本考案のＩＰ電話システムによる携帯電話機と、音声サーバーとの接続の態様図を参照する。図６から分かるように、携帯電話機と、音声サーバーとの接続は、携帯電話機側と、音声サーバー側に分けられ、そのフローステップは、以下のとおりに示す。
【００４０】
ステップ６１１は携帯電話機側にてＳｏｃｋｅｔを確立する。
【００４１】
ステップ６１１１は音声サーバー側にてＳｏｃｋｅｔを確立する。
【００４２】
ステップ６１１２は音声サーバー側にて、接続のリクエスト信号が入っているか否かを聴取（Ｌｉｓｔｅｎ）する。
【００４３】
ステップ６１１３は音声サーバー側が接続信号を受け入れる。
【００４４】
ステップ６１４は携帯電話機と、音声サーバーとを接続する。
【００４５】
ステップ６１５は携帯電話機より、ダイアルアップとパスワードを送信し、音声サーバーより機器番号とパスワードを受信する（ステップ６１５１）。
【００４６】
ステップ６１６は携帯電話機と、音声サーバーとの接続（音声サーバー側と、携帯電話機との接続を確立、ステップ６１６１）を確立する。
【００４７】
ステップ６１７は携帯電話機が音声サーバーとの通話を待機する（音声サーバー側が携帯電話機との通話を待機する、ステップ６１７１）。
【００４８】
以上の実施例から分かるように、本考案より提供するＩＰ電話システムには、相当な斬新性と進歩性を有しており、固定コストで廉価、しかもアクセス制限のないインターネット（Ｉｎｔｅｒｎｅｔ）を通じて、音声通話を実現し、通話料を大幅に軽減できると共に、公衆交換電話網（ＰＳＴＮ）ネットワークの回線交換技術によって、音声通話品質が保証される。両者を兼ね合わせて、長所をとって短所を補うことができる。アナログ回線（ＰＳＴＮ）の使用により、通話品質がより安定し、ネットワーク断線の影響を受けることなく、ファイアウォールの制限を受けず、帯域の制限も受けない。そのほか、本考案のＩＰ電話システムを適用して、ローカル電話を携帯電話機に接続するには、ＷＩＦＩ（登録商標）のほかに、３Ｇ（登録商標）、４Ｇ（登録商標）、ＬＴＥ（登録商標）、ＷＩＭＡＸ（登録商標）も利用できるため、使用のエリアがより広くなり、使用者が海外に滞在していても、家の電話はもれなく受けられる。さらに、会議モードの通話を設定すれば、一対多数の通話または三方通話も実現できる。便利でしかも使いやすい。ローカル電話にネットワークを介して通話すれば、以前の国際電話を取り代わることができ、通話料はもっと軽減できる。さらに、本考案のＩＰ電話システムは、タブレットＰＣに適用して、タブレットＰＣにＡＰＰをインストールして置けば、取次ぎのローカル電話に出ることもできる。以上の詳細説明は、本案の好ましい実施例について説明したものに過ぎない。ただし、該実施例は本案になんらの制限を加わるものではなく、本案の技術精神に基づく等効果の応用又は変更は、すべて本案の実用新案登録請求の範囲に含めるべきである。
【符号の説明】
【００４９】
０１  ＩＰ電話システム
１１  携帯電話機
１２  携帯電話機ダイアルアップ応用プログラム（ＡＰＰ）
１３  音声サーバー
１３１  ＲＪ−４５ネットワークインターフェイス
１３２  ＷＩＦＩ（登録商標）ワイヤレスインターネット・インターフェイス
１３３  ＲＪ−１１インターフェイス
１３４  公衆交換電話網（ＰＳＴＮ）ネットワークダイアルアップモジュール
１３５  Ｄ／Ａ変換モジュール
１３６  信号検出モジュール
１３７  マイクロプロセッサー
１３８  汎用入出力（ＧＰＩＯ）インターフェイス
１３９  電源管理モジュール
１４  インターネット（Ｉｎｔｅｒｎｅｔ）
１５  公衆交換電話網（ＰＳＴＮ）ネットワーク
１６  携帯電話機
１７  ＰＳＴＮ電話
１８  ローカルエリアネットワーク（ＬＡＮ）
２１、２２、２３、２４、２５、２６、２７  フローのステップ
３１、３２、３３、３４、３５  フローのステップ
４１、４２、４３、４４、４５、４６  フローのステップ
５１、５２、５３、５４、５５、５６、５７  フローのステップ
６１１、６１４、６１５、６１６、６１６  フローのステップ
６１１１、６１１２、６１１３、６１５１、６１６１、６１７１  フローのステップ
【図１】
0003206362.tif 000003
【図２】
0003206362.tif 000004
【図３】
0003206362.tif 000005
【図４】
0003206362.tif 000006
【図５】
0003206362.tif 000007
【図６】
0003206362.tif 000008
【手続補正書】
【提出日】平成28年7月12日(2016.7.12)
【手続補正１】
【補正対象書類名】明細書
【補正対象項目名】全文
【補正方法】変更
【補正の内容】
【考案の詳細な説明】
【技術分野】
【０００１】
本考案は、ＩＰ電話システムに関し、特にネットワークの信号品質を自動に検出した上、音声信号をインターネット（Ｉｎｔｅｒｎｅｔ）または公衆交換電話網（ＰＳＴＮ）ネットワークに接続するＩＰ電話システムに関する。
【背景技術】
【０００２】
一般の従来電話回線が使用するネットワークは、公衆交換電話網（ＰＳＴＮ）ネットワークであり、アナログ音声信号を伝送する。しかし、インターネットが盛んに発展につれて、ＩＰ電話（ＶｏＩＰ）の使用も日一日と普及している。ＩＰ電話（ＶｏＩＰ）は、ＩＰネットワークを介して、デジタル音声データを伝送する技術の電話通信方式である。そして、インターネットプロトコール（Ｉｎｔｅｒｎｅｔ  Ｐｒｏｔｏｃｏｌ，  ＩＰ）はもともとデータパケットの伝送に設計されており、ネットワーク電話とは、ＩＰネットワークにデジタル音声信号をリアルタイムに伝送するものである。ＩＰ電話（ＶｏＩＰ）による音声伝送は、ハードウェアまたはソフトウェアで構成される。早期の製品は、ソフトウェア構成によって稼働するため、使用者はコンピューターを利用し、ソフトウェアを実行すると共に、インターネットに接続する必要がある。よって、コンピューターには、ネットワークカードと、マイクが必要である。しかし、その接続は半二重通信であり、従来の電話通信に比べて、通話が無線通話のようなもので、本来の電話通話ではない。通話品質も良くないため、改善の余地がある。一方、現在には多くのＩＰ電話（ＶｏＩＰ）製品がソフトウェア構成を使用している。その長所は、低コストにある。企業組織は毎月に数千から数万円の長距離電話料を掛かる。そこで、もし常にコスト低く、かつインターネットに無制限でアクセスできるネットワーク電話があれば、通話料は大幅に軽減できる。
【０００３】
ネットワーク電話の使用料は安いといえども、問題点が存在している。インターネットプロトコール（Ｉｎｔｅｒｎｅｔ  Ｐｒｏｔｏｃｏｌ，  ＩＰ）はパケット（ｐａｃｋｅｔ）をベースとした伝送プロトコールに対して、従来の電話で使用する公衆交換電話網（ＰＳＴＮ）ネットワークは、回線交換（ｃｉｒｃｕｉｔ  ｓｗｉｔｃｈｉｎｇ）を使用している。ＩＰで音声データを伝送する際に、システムはまずデータをパケットに分割して、ネットワークを通じて伝送される。しかし、ＩＰは最善の努力方式（ｂｅｓｔ−ｅｆｆｏｒｔ）のため、サービス品質は保証されない。よって、異なるパケットにはそれぞれのルートを使用している可能性があり、パケットの順番が狂ってしまうか、または途中でロスするため、ネットワーク電話の音声品質は一定レベルの保証が得られない。これに対して、公衆交換電話網（ＰＳＴＮ）ネットワークを利用する回線交換技術では、伝送する両方の間に一定のルートが確立していて、かつ必要な帯域の「回線」（ｃｉｒｃｕｉｔ）が確保されている。従って、音声品質が比較的に保証される。
【０００４】
以上の説明から、ＩＰ電話（ＶｏＩＰ）と、公衆交換電話網（ＰＳＴＮ）ネットワークを使用する従来の電話通信は、それぞれの長短所あることが分かる。両者の長所を残しつつ、両者の欠点を改善する。
【考案の概要】
【考案が解決しようとする課題】
【０００５】
本考案の目的は、ＩＰ電話システムを提供することにある。
【課題を解決するための手段】
【０００６】
携帯電話機と、携帯電話機ダイアルアップ応用プログラム（ＡＰＰ）と、音声サーバーとを含む。携帯電話機ダイアルアップ応用プログラム（ＡＰＰ）を携帯電話機にインストールしていて、係る音声サーバーは、ＲＪ−４５ネットワークインターフェイスと、無線LAN ワイヤレスインターネット・インターフェイスとを有し、無線ネットワークインターフェイス（ＬＡＮ）とインターネットとの接続に用いる。係るＲＪ−４５ネットワークインターフェイスと、無線LAN ワイヤレスインターネット・インターフェイス無線ネットワークインターフェイスは、ローカルエリアネットワーク（ＬＡＮ）と、インターネット（Ｉｎｔｅｒｎｅｔ）の接続に用いる。係るＲＪ−１１インターフェイスと、公衆交換電話網（Ｐｕｂｌｉｃ  Ｓｗｉｔｃｈｅｄ  Ｔｅｌｅｐｈｏｎｅ  Ｎｅｔｗｏｒｋ，  ＰＳＴＮ）ダイアルアップモジュールは、Ｄ／Ａ変換モジュールと、ＲＪ−１１インターフェイスと、ＰＳＴＮダイアルアップモジュールは、ＰＳＴＮネットワークの接続に用いる。係るＤ／Ａ変換モジュールはデジタルアナログ変換に用いる。係る信号検出モジュールは、ネットワーク信号の品質を検出すると共に、音声信号をインターネット（Ｉｎｔｅｒｎｅｔ）または公衆交換電話網（ＰＳＴＮ）ネットワークに接続する。マイクロプロセッサーは、係る音声サーバーの信号処理に用いる。汎用入出力（ＧＰＩＯ）インターフェイスは、その他装置との接続に用いる。電源管理モジュールは、音声サーバーの電源管理に用いる。使用者が本考案のＩＰ電話システムを使用するときは、携帯電話機にインストールされた応用プログラム（ＡＰＰ）を用いて、ダイアルアップし、携帯電話機の無線LAN モジュールがローカルエリアネットワーク（ＬＡＮ）を介して、本考案ＩＰ電話システムの音声サーバーに接続する。係る音声サーバーの信号検出モジュールがネットワーク信号の通話品質を自動に検知される。もし、インターネット（Ｉｎｔｅｒｎｅｔ）の通話品質が良いときは、音声信号をインターネット（Ｉｎｔｅｒｎｅｔ）に接続する。もし、公衆交換電話網（ＰＳＴＮ）ネットワークの通話品質が良いときは、音声信号を公衆交換電話網（ＰＳＴＮ）ネットワークに接続する。
【考案の効果】
【０００７】
本考案より提供するＩＰ電話システムには、相当な斬新性と進歩性を有する。固定コストで廉価、しかもアクセス制限のないインターネットを通じて、音声通話を実現し、通話料を大幅に軽減できると共に、公衆交換電話網（ＰＳＴＮ）ネットワークの回線交換技術によって、音声通話品質が保証される。両者を兼ね合わせており、長所をとって短所を補うことができる。アナログ回線（ＰＳＴＮ）の使用により、通話品質がより安定し、ネットワーク断線の影響を受けることなく、ファイアウォールの制限を受けず、帯域の制限も受けない。そのほか、本考案のＩＰ電話システムを適用して、ローカル電話を携帯電話機に接続するには、無線LAN のほかに、第３代移動通信システム 、第４代移動通信システム 、第3.9代移動通信システム 、IEEE 802.16-2004 も利用できるため、使用のエリアがより広くなり、使用者が海外に滞在していても、家の電話はもれなく受けられる。さらに、会議モードの通話を設定すれば、一対多数の通話または三方通話も実現できる。便利でしかも使いやすい。ローカル電話にネットワークを介して通話すれば、以前の国際電話を取り代わることができ、通話料はもっと軽減できる。さらに、本考案のＩＰ電話システムは、タブレットＰＣに適用して、タブレットＰＣにＡＰＰをインストールして置けば、取次ぎのローカル電話に出ることもできる。
【図面の簡単な説明】
【０００８】
【図１】本考案のＩＰ電話システムによるシステム構造態様図である。
【図２】本考案のＩＰ電話システムによる携帯電話機応用プログラム（ＡＰＰ）と、音声サーバーとの接続の態様図である。
【図３】本考案のＩＰ電話システムによる携帯電話機が電話受信を受け入れて、音声サーバーとの接続の態様図である。
【図４】本考案のＩＰ電話システムによる一般電話から携帯電話に発信して、音声サーバーとの接続の態様図である。
【図５】本考案のＩＰ電話システムによる携帯電話機と、従来の電話と、音声サーバーとの接続の態様図である。
【図６】本考案のＩＰ電話システムによる携帯電話機と、音声サーバーとの接続の態様図である。
【考案を実施するための形態】
【０００９】
図１、本考案のＩＰ電話システムによるシステム構造態様図を参照する。図１から分かるように、本考案のＩＰ電話システムは、携帯電話機１１と、携帯電話機ダイアルアップ応用プログラム（ＡＰＰ）１２と、音声サーバーと１３を含む。係る携帯電話機ダイアルアップ応用プログラム（ＡＰＰ）１２を携帯電話機１１にインストールしていて、係る音声サーバー１３は、ＲＪ−４５ネットワークインターフェイス１３１と、無線LAN ワイヤレスインターネット・インターフェイス１３２とを有し、係るＲＪ−４５ネットワークインターフェイス１３１と、無線LAN ワイヤレスインターネット・インターフェイス１３２は、ローカルエリアネットワーク（ＬＡＮ）１８と、インターネット（Ｉｎｔｅｒｎｅｔ）１４の接続に用いる。係るＲＪ−１１インターフェイス１３３と、公衆交換電話網（Ｐｕｂｌｉｃ  Ｓｗｉｔｃｈｅｄ  Ｔｅｌｅｐｈｏｎｅ  Ｎｅｔｗｏｒｋ，  ＰＳＴＮ）ダイアルアップモジュール１３４と、Ｄ／Ａ変換モジュール１３５を有し、係るＲＪ−１１インターフェイス１３３と、ＰＳＴＮダイアルアップモジュール１３４は、ＰＳＴＮネットワーク１５の接続に用いる。係るＤ／Ａ変換モジュール１３５はデジタルアナログ信号の変換に用いる。係る信号検出モジュール１３６は、ネットワーク信号の品質を検出すると共に、音声信号をインターネット（Ｉｎｔｅｒｎｅｔ）１４または公衆交換電話網（ＰＳＴＮ）ネットワーク１５に接続する。マイクロプロセッサー１３７は、係る音声サーバー１３の信号処理に用いる。汎用入出力（ＧＰＩＯ）インターフェイス１３８は、その他装置との接続に用いる。電源管理モジュール１３９は、音声サーバーの電源管理に用いる。使用者が本考案のＩＰ電話システム０１を使用するときは、携帯電話機１１にインストールされた応用プログラム（ＡＰＰ）１２を用いて、ダイアルアップし、携帯電話機１１の無線LAN モジュールがローカルエリアネットワーク（ＬＡＮ）１８を介して、本考案ＩＰ電話システムの音声サーバー１３に接続する。係る音声サーバー１３の信号検出モジュール１３６がネットワーク信号の通話品質を自動に検知される。もし、インターネット（Ｉｎｔｅｒｎｅｔ）１４の通話品質が良いときは、音声信号をインターネット（Ｉｎｔｅｒｎｅｔ）１４に接続し、もし、公衆交換電話網（ＰＳＴＮ）ネットワーク１５の通話品質が良いときは、音声信号を公衆交換電話網（ＰＳＴＮ）ネットワーク１５に接続し、携帯電話機１６と接続し通話させる。前記実施例は携帯電話機１１と、携帯電話機１６との接続による通話を例示しているが、この限りではない。携帯電話機１１も前述技術とフローを利用して、従来のＰＳＴＮ電話１７と接続して通話することができる。
【００１０】
図２、本考案のＩＰ電話システムによる携帯電話機応用プログラム（ＡＰＰ）と、音声サーバーとの接続の態様図を参照する。図２から分かるように、使用者が本システムを適用して、通話するとき、本システムの携帯電話機応用プログラム（ＡＰＰ）と、音声サーバーとの接続フローのステップは、以下のとおりに示す。
【００１１】
ステップ２１は使用者の携帯電話機が音声サーバーとの接続を確立する。
【００１２】
ステップ２２は使用者が携帯電話機応用プログラム（ＡＰＰ）を用いて電話を掛ける。
【００１３】
ステップ２３は携帯電話機より、音声サーバーに番号を伝送する。
【００１４】
ステップ２４は音声サーバーの信号検出モジュールがネットワーク通信品質を判断した上、音声信号をインターネット回線または公衆電話網との接続を決める。
【００１５】
ステップ２５は確認及び通話者を接続する。
【００１６】
ステップ２６はデジタルビデオ／オディオデータの発信と受信。
【００１７】
ステップ２７は通話を終了する。
【００１８】
引き続き図３、本考案のＩＰ電話システムによる携帯電話機が電話の受信を受け入れて、音声サーバーとの接続の態様図である。図３から分かるように、使用者が本システムを適用して、かかって来た電話と通話するとき、本システムの携帯電話機と、音声サーバーとの接続フローのステップは、以下のとおりに示す。
【００１９】
ステップ３１は携帯電話機と、音声サーバーとの接続を確立する。
【００２０】
ステップ３２は電話に出る。
【００２１】
ステップ３３は音声サーバーからの通話を受け入れる。
【００２２】
ステップ３４はデジタルビデオ／オディオデータの発信と受信。
【００２３】
ステップ３５は通話を終了する。
【００２４】
引き続き図４、本考案のＩＰ電話システムによる一般電話から携帯電話に発信して、音声サーバーとの接続の態様図を参照する。図４から分かるように、一般の従来電話から携帯電話機と、音声サーバーとの接続フローステップは、以下のとおりに示す。
【００２５】
ステップ４１は携帯電話機と、音声サーバーとの接続を確立する。
【００２６】
ステップ４２はデュアルトーンマルチ周波数（Ｄｕａｌ−Ｔｏｎｅ  Ｍｕｌｔｉ−Ｆｒｅｑｕｅｎｃｙ／ＤＴＭＦ）の音声ダイアルアップを受信する。
【００２７】
ステップ４３は携帯電話機応用プログラム（ＡＰＰ）に接続する。
【００２８】
ステップ４４は通話を確立する。
【００２９】
ステップ４５は一般の従来電話のアナログ音声信号の受信と伝送、携帯電話からのデジタル音声信号の受信と伝送する。
【００３０】
ステップ４６は断線して、通話を終了する。
【００３１】
引き続き図５、本考案のＩＰ電話システムによる携帯電話機を従来の電話と、音声サーバーにダイアルアップするときの態様図を参照する。図５から分かるように、携帯電話機から携帯電話機と、音声サーバーとの接続フローステップは、以下のとおりに示す。
【００３２】
ステップ５１は携帯電話機と、音声サーバーとの接続を確立する。
【００３３】
ステップ５２は音声サーバーが携帯電話機応用プログラム（ＡＰＰ）からのダイアルアップを受信する。
【００３４】
ステップ５３は番号に基づき、デュアルトーンマルチ周波数（Ｄｕａｌ−Ｔｏｎｅ  Ｍｕｌｔｉ−Ｆｒｅｑｕｅｎｃｙ／ＤＴＭＦ）の音声ダイアルアップを形成する。
【００３５】
ステップ５４はデュアルトーンマルチ周波数（Ｄｕａｌ−Ｔｏｎｅ  Ｍｕｌｔｉ−Ｆｒｅｑｕｅｎｃｙ／ＤＴＭＦ）による電話を接続する。
【００３６】
ステップ５５は通話を確立する。
【００３７】
ステップ５６は携帯電話からのデジタル音声信号の受信と伝送し、一般の電話のアナログ音声信号の受信と伝送する。
【００３８】
ステップ５７は断線して、通話を終了する。
【００３９】
引き続き図６、本考案のＩＰ電話システムによる携帯電話機と、音声サーバーとの接続の態様図を参照する。図６から分かるように、携帯電話機と、音声サーバーとの接続は、携帯電話機側と、音声サーバー側に分けられ、そのフローステップは、以下のとおりに示す。
【００４０】
ステップ６１１は携帯電話機側にてＳｏｃｋｅｔを確立する。
【００４１】
ステップ６１１１は音声サーバー側にてＳｏｃｋｅｔを確立する。
【００４２】
ステップ６１１２は音声サーバー側にて、接続のリクエスト信号が入っているか否かを聴取（Ｌｉｓｔｅｎ）する。
【００４３】
ステップ６１１３は音声サーバー側が接続信号を受け入れる。
【００４４】
ステップ６１４は携帯電話機と、音声サーバーとを接続する。
【００４５】
ステップ６１５は携帯電話機より、ダイアルアップとパスワードを送信し、音声サーバーより機器番号とパスワードを受信する（ステップ６１５１）。
【００４６】
ステップ６１６は携帯電話機と、音声サーバーとの接続（音声サーバー側と、携帯電話機との接続を確立、ステップ６１６１）を確立する。
【００４７】
ステップ６１７は携帯電話機が音声サーバーとの通話を待機する（音声サーバー側が携帯電話機との通話を待機する、ステップ６１７１）。
【００４８】
以上の実施例から分かるように、本考案より提供するＩＰ電話システムには、相当な斬新性と進歩性を有しており、固定コストで廉価、しかもアクセス制限のないインターネット（Ｉｎｔｅｒｎｅｔ）を通じて、音声通話を実現し、通話料を大幅に軽減できると共に、公衆交換電話網（ＰＳＴＮ）ネットワークの回線交換技術によって、音声通話品質が保証される。両者を兼ね合わせて、長所をとって短所を補うことができる。アナログ回線（ＰＳＴＮ）の使用により、通話品質がより安定し、ネットワーク断線の影響を受けることなく、ファイアウォールの制限を受けず、帯域の制限も受けない。そのほか、本考案のＩＰ電話システムを適用して、ローカル電話を携帯電話機に接続するには、無線LAN のほかに、第３代移動通信システム 、第４代移動通信システム 、第3.9代移動通信システム 、IEEE 802.16-2004 も利用できるため、使用のエリアがより広くなり、使用者が海外に滞在していても、家の電話はもれなく受けられる。さらに、会議モードの通話を設定すれば、一対多数の通話または三方通話も実現できる。便利でしかも使いやすい。ローカル電話にネットワークを介して通話すれば、以前の国際電話を取り代わることができ、通話料はもっと軽減できる。さらに、本考案のＩＰ電話システムは、タブレットＰＣに適用して、タブレットＰＣにＡＰＰをインストールして置けば、取次ぎのローカル電話に出ることもできる。以上の詳細説明は、本案の好ましい実施例について説明したものに過ぎない。ただし、該実施例は本案になんらの制限を加わるものではなく、本案の技術精神に基づく等効果の応用又は変更は、すべて本案の実用新案登録請求の範囲に含めるべきである。
【符号の説明】
【００４９】
０１  ＩＰ電話システム
１１  携帯電話機
１２  携帯電話機ダイアルアップ応用プログラム（ＡＰＰ）
１３  音声サーバー
１３１  ＲＪ−４５ネットワークインターフェイス
１３２  無線LAN ワイヤレスインターネット・インターフェイス
１３３  ＲＪ−１１インターフェイス
１３４  公衆交換電話網（ＰＳＴＮ）ネットワークダイアルアップモジュール
１３５  Ｄ／Ａ変換モジュール
１３６  信号検出モジュール
１３７  マイクロプロセッサー
１３８  汎用入出力（ＧＰＩＯ）インターフェイス
１３９  電源管理モジュール
１４  インターネット（Ｉｎｔｅｒｎｅｔ）
１５  公衆交換電話網（ＰＳＴＮ）ネットワーク
１６  携帯電話機
１７  ＰＳＴＮ電話
１８  ローカルエリアネットワーク（ＬＡＮ）
２１、２２、２３、２４、２５、２６、２７  フローのステップ
３１、３２、３３、３４、３５  フローのステップ
４１、４２、４３、４４、４５、４６  フローのステップ
５１、５２、５３、５４、５５、５６、５７  フローのステップ
６１１、６１４、６１５、６１６、６１６  フローのステップ
６１１１、６１１２、６１１３、６１５１、６１６１、６１７１  フローのステップ
【手続補正２】
【補正対象書類名】実用新案登録請求の範囲
【補正対象項目名】全文
【補正方法】変更
【補正の内容】
【実用新案登録請求の範囲】
【請求項１】
通話装置と、ダイアルアップ応用プログラムと、音声サーバーとを備えるＩＰ電話システムであって、前記ダイアルアップ応用プログラムを前記通話装置にインストールしていて、前記音声サーバーは、
複数の無線ネットワークインターフェイスとの接続に用いるＲＪ−４５ネットワークインターフェイス及び無線LAN ワイヤレスインターネット・インターフェイス無線ネットワークインターフェイスと、
ＰＳＴＮネットワークスとの接続に用いるＲＪ−１１インターフェイス及び公衆交換電話網ダイアルアップモジュールと、
デジタルアナログ変換に用いるＤ／Ａ変換モジュールと、
ネットワークの信号品質を自動に検出した上、音声信号をインターネットまたは公衆交換電話網に接続する信号検出モジュールと、
前記音声サーバー各種の信号を処理するマイクロプロセッサーと、を含むことを特徴とする、ＩＰ電話システム。
【請求項２】
前記音声サーバーは例えば、コンピューターであることを特徴とする、請求項１記載のＩＰ電話システム。
【請求項３】
前記通話装置は例えば、携帯電話機またはタブレットＰＣであることを特徴とする、請求項１記載のＩＰ電話システム。
【請求項４】
前記複数のネットワークは例えば、インターネットと、ローカルエリアネットワークであることを特徴とする、請求項１記載のＩＰ電話システム。
【請求項５】
前記音声サーバーは、その他装置と、電源管理モジュールに接続して、前記音声サーバーを管理する電源汎用入出力インターフェイスをさらに含むことを特徴とする、請求項１記載のＩＰ電話システム。
【請求項６】
発信側を前記ＩＰ電話システムに接続するときに、前記発信側はＰＳＴＮ、無線LAN 、第３代移動通信システム 、第４代移動通信システム 、第3.9代移動通信システム またはIEEE 802.16-2004 ネットワークを利用できることを特徴とする、請求項１記載のＩＰ電話システム。
【請求項７】
前記ＩＰ電話システムを使用するときには、会議通話モードを設定して、一対多数の通話または三方通話ができることを特徴とする、請求項１記載のＩＰ電話システム。
【請求項８】
使用者が前記ＩＰ電話システムを使用するときは、携帯電話機にインストールされた応 用プログラムを用いて、ダイアルアップし、前記携帯電話機の無線LAN モジュールがローカルエリアネットワークを介して、前記音声サーバーに接続し、前記音声サーバーの信号検出モジュールがネットワーク信号の通話品質を自動に検知し、もし、前記インターネットの通話品質が良いときは、音声信号を前記インターネットに接続させ、前記公衆交換電話網の通話品質が良いときは、音声信号を公衆交換電話網に接続することを特徴とする、請求項１記載のＩＰ電話システム。